(57)【要約】【課題】印字された印字情報そのものの安全性を高めた積層印刷物を提供することを目的とする。【解決手段】前記課題の目的を達成するために、片面に印刷部が形成され、印字領域を有する第１の印刷物と、片面に印字情報が形成された第２の印刷物が、第１の印刷物の非印刷面と第２の印刷物の印字情報形成面が全面にわたって光透過性の接着剤または、粘着剤を介して貼着された積層印刷物であって、前記第１の印刷物の一部または、全面に前記第１の印刷物の基材を貫通する複数の切り込みが形成された積層印刷物を提供する。【選択図】  図１
2005088475.tif 000002
【特許請求の範囲】
【請求項１】
片面に印刷部が形成され、印字領域を有する第１の印刷物と、片面に印字情報が形成された第２の印刷物が、第１の印刷物の非印刷面と第２の印刷物の印字情報形成面が全面にわたって光透過性の接着剤または、粘着剤を介して貼着された積層印刷物であって、
前記第１の印刷物の一部または、全面に前記第１の印刷物の基材を貫通する複数の切り込みが形成されていることを特徴とする積層印刷物。
【請求項２】
前記第１の印刷物と前記第２の印刷物のうち、少なくとも前記第１の印刷物の基材は、前記第２の印刷物に印字された印字情報の一部または全部を第１の印刷物の印刷面から判読可能な材料で構成されたことを特徴とする請求項１に記載の積層印刷物。
【請求項３】
前記第１の印刷物の印字領域に印字された印字情報は、第２の印刷物に印字された印字情報と同一か、または、第２の印刷物に印字された印字情報と関連性を有する情報であることを特徴とする請求項２に記載の積層印刷物。
【発明の詳細な説明】
【技術分野】
【０００１】
本発明は、印字情報の改竄を困難にした印刷物に関する。
【背景技術】
【０００２】
近年、印刷物にプリンターを使用して固有情報部分を印字したダイレクトメールや、証書類が多用されている。
【０００３】
印刷物に固有情報を印字するプリンターには、インクジェットプリンタや、静電転写プリンタなどがあって、マークをはじめとして各種の書体の数字、漢字、および記号等を高速でしかも、細密に印字する。
【０００４】
一方、近年では複写物の品質が向上し、印刷物とそれを複写した複写物の判別が一層困難になってきている。
【０００５】
偽造を困難にするために、印刷基材である印刷用紙に定位置透かし模様を施して印刷基材面で特徴を付与させたり、複写機による複製を防止するために印刷図柄の中にマイクロ文字をデザインして印刷したり、印字データの改竄を防止するために消しゴムによって脱落し易い印刷インキで背景を印刷したりする技術が多く開示されている。
【０００６】
複写機を使用した印刷物の改竄や、偽造を牽制するために印刷物の図柄の一部をホログラムで表現したり（例えば、特許文献１参照）、印刷に使用するインキにパールインキや、金、銀インキを使用する技術（例えば、特許文献２参照）が提案されている。
【特許文献１】特開２０００−１９４２６５号公報
【特許文献２】特開平９−１６９１６１号公報  しかし、前述の技術は、媒体の偽造に対しては有効であるが、印字データの改竄に対しては十分ではない。
【発明の開示】
【発明が解決しようとする課題】
【０００７】
そこで本発明は、印字された印字情報そのものの安全性を高めた積層印刷物を提供することを目的とするものである。
【課題を解決するための手段】
【０００８】
前記課題の目的を達成するために本発明の積層印刷物の請求項1に記載の発明は、片面に印刷部が形成され、印字領域を有する第１の印刷物と、片面に印字情報が形成された第２の印刷物が、第１の印刷物の非印刷面と第２の印刷物の印字情報形成面が全面にわたって光透過性の接着剤または、粘着剤を介して貼着された積層印刷物であって、前記第１の印刷物の一部または、全面に前記第１の印刷物の基材を貫通する複数の切り込みが形成されたことを特徴とするものである。
【０００９】
また、請求項２に記載の発明は、請求項１に記載の発明において、第１の印刷物と第２の印刷物のうち、少なくとも前記第１の印刷物の基材は、前記第２の印刷物に印字された印字情報の一部または全部を第１の印刷物の印刷面から判読可能な材料で構成されたことを特徴とするものである。
【００１０】
また、請求項３に記載の発明は、請求項２に記載の発明において、第１の印刷物の印字領域に印字された印字情報は、第２の印刷物に印字された印字情報と同一か、または、第２の印刷物に印字された印字情報と関連性を有する情報であることを特徴とするものである。
【発明の効果】
【００１１】
１）請求項１に記載の発明のように、片面に印刷部が形成され、印字領域を有する第１の印刷物と、片面に印字情報が形成された第２の印刷物が、第１の印刷物の非印刷面と第２の印刷物の印字情報形成面が全面にわたって光透過性の接着剤または、粘着剤を介して貼着された積層印刷物であって、前記第１の印刷物の一部、または全面に前記第１の印刷物の基材を貫通する複数の切り込みが形成されたことことにより、内包された印字情報を第1の印刷物の基材を剥して改竄しようとしても切り込みの存在によって全面を剥すことができないため、改竄を困難にするという効果がある。
【００１２】
２）また、請求項２に記載の発明のように、請求項１に記載の発明において、第１の印刷物と第２の印刷物のうち、少なくとも前記第１の印刷物の基材は、前記第２の印刷物に印字された印字情報の一部または全部を第１の印刷物の印刷面から判読可能な材料で構成されたことにより内包された印字情報を改竄することは困難であるという効果がある。
【００１３】
３）また、請求項３に記載の発明のように、請求項２に記載の発明において、第１の印刷物の印字領域に印字された印字情報は、第２の印刷物に印字された印字情報と同一か、、または第２の印刷物に印字された印字情報と関連性を有する情報であることにより、少なくとも改竄されては困る情報を内包させることが可能であるという効果がある。
【発明を実施するための最良の形態】
【００１４】
以下、図面を参照しながら本発明の実施の形態について詳述する。
【００１５】
図１は、本発明の積層印刷物の一実施形態について説明するための模式図、図２は、図１のＡ−Ａ線断面図、図３は、本発明の積層印刷物に形成する切り込みの一実施形態について説明するための模式図、図４は、本発明の積層印刷物に形成する切り込みの他の実施形態について説明するための模式図、図５は、図３に示す切り込みの効果について説明するための模式図、図６は、図４に示す切り込みの効果について説明するための模式図である。
【００１６】
図１を参照して本発明の積層印刷物の一実施形態について説明する。
【００１７】
本発明の積層印刷物３は、第1の印刷物１を、第1の印刷物１の印字部を上にして、略同一サイズの第２の印刷物２の印字面に重ね合わせて積層することによって作製する。
【００１８】
本実施の形態では、第１の印刷物１の基材として、裏面に公知の感熱、または、感圧接着剤を塗布し乾燥した上質紙を使用する。
【００１９】
積層印刷物３は、第１の印刷物と第２の印刷物が第１の印刷物の右端と第２の印刷物の左端が連接された状態のシート状または、連続状の印刷物にレーザービームプリンタによって印字した後、センターでスリットし第１の印刷物の印字面が表出するように左右重ね合わせて加圧、または、加圧・加熱し、２枚の印刷物を一体化して作製する。
【００２０】
したがって、第１の印刷物の基材と第２の印刷物の基材は、同一基材で構成される。
【００２１】
図１で説明する積層印刷物３は、コンサートの前売り券で、第１の印刷物１の印字面にはチケットのタイトルが「２００３  ＳＵＭＭＥＲ  ＣＯＮＣＥＲＴ」と印刷され、図示しないがコンサートにかかわるその他の図柄が印刷される。
【００２２】
「２００３  ＳＵＭＭＥＲ  ＣＯＮＣＥＲＴ」の下部には印字情報１１として、コンサートの日付、曜日、会場名、指定席番号等のユニークな情報（固有な情報）がプリンタによって印字される。
【００２３】
「２００３  ＳＵＭＭＥＲ  ＣＯＮＣＥＲＴ」の文字は、前記印字情報と一緒にプリンターで印字することもできる。
【００２４】
第１の印刷物１の中央右側には、入場の際にチケットを左右に分割できるように、切り取りミシン１３が形成される。
【００２５】
切り取りミシンの右側は入場の際に切り取られ、入場者には切り取りミシンの左側が入場者控えとして渡される。
【００２６】
切り取りミシンの右側には、切り込み１２が形成される。切り込みの入れ方には図１に示すような形状や、図４に示すような形状等があるが、何れも、印刷物の基材を貫通して形成される。
【００２７】
第２の印刷物２の印字面は、第1の印刷物で被覆されるために通常印刷は行わないが、必要であれば行うことができる。
【００２８】
第２の印刷物の裏面には、印刷によってチケットに関する情報などを印刷することができる。プリンタが表裏印字可能な場合は、プリンタによって印字してもよい。プリンタで印字する場合は、透過光で印字情報２１を確認する場合の妨げとなるために、印字情報２１の裏側は避けて印字する。
【００２９】
第２の印刷物２の印字面には、第２の印刷物の印字情報２１として、第１の印刷物の印字情報１１の内容を含む関連内容が印字される。
【００３０】
例えば、図１に示すように、第１の印刷物１では印刷によって表示された「２００３  ＳＵＭＭＥＲ  ＣＯＮＣＥＲＴ」と、第１の印刷物１で印字された印字情報１１が共にプリンタによって印字される。
【００３１】
また、第２の印刷物２の中央右側には、切り取りミシン２３が、第１の印刷物１と貼着された時に第１の印刷物に形成された切り取りミシンと同一の位置になるよう形成される。
【００３２】
積層印刷物３は、第１の印刷物１の非印字面と第２の印刷物の印字面が接着剤などで貼着された積層体である。
【００３３】
積層印刷物３の表出面には、第１の印刷物１の印刷情報「２００３  ＳＵＭＭＥＲ  ＣＯＮＣＥＲＴ」、印字情報１１、および、印字情報２１が表示される。
【００３４】
印字情報２１は、第２の印刷物２の印字面に印字された印字情報が、第１の印刷物の接着剤（または、粘着剤）、および第１の印刷物の基材を透過して判読される情報である。
【００３５】
印字情報２１は、第１の印刷物１の基材の厚さと透明性によって見え方が異なる。
【００３６】
基材が厚く空隙が多い材料の場合は、日常の照明のもとでは判別が困難となり、背面から光を当てて判読する。
【００３７】
例えば基材が無機物をほとんど含有しない上質紙の場合、紙の重量が６４グラム／平方メートル以下の場合は日常の照明のもとで判読可能であるが、紙の重さが前記以上となると判別が困難となる。
【００３８】
図２を参照して、図１のＡ−Ａ線断面について説明する。
【００３９】
積層印刷物３は、第1の印刷物１の基材、第２の印刷物２の基材、及び両者を接着する接着剤の接着剤層１４による積層体である。
【００４０】
第1の印刷物１の基材の表面には、図示しないが印刷インキ、プリンタによる印字情報１１のトナーが表出している。また、接着剤層１４と第２の印刷物２の基材の間には、プリンタによる印字情報２１のトナーが内包されている。
【００４１】
接着剤（粘着剤）１４は、第1の印刷物１の基材と、第２の印刷物２の基材を少なくとも常温状態では剥離困難な状態に貼着している。
【００４２】
積層印刷物３の中央右側には、第1の印刷物１の基材と、第２の印刷物２の基材を貫通するように切り取りミシン１３，２３が形成されている。
【００４３】
また、第1の印刷物１の基材には、２箇所に切り込み１２が第1の印刷物１の基材を貫通して形成されている。
【００４４】
接着剤１４による貼り合わせ手順として、第1の印刷物１の基材の非印字面、または第２の印刷物２の基材の印字面に接着剤層が既に形成されている状態で印字情報をプリントし、加圧（または、加圧・加熱）によって積層する場合と、印字情報をプリントした後接着装置によって第1の印刷物１の基材の非印字面、または第２の印刷物２の基材の印字面に接着剤を塗布しながら第1の印刷物１と、第２の印刷物２を貼り合わせる場合とがあり、何れの方法によって作製してもよい。
【実施例１】
【００４５】
図３、図５を参照して本発明の積層印刷物の実施例１について詳述する。
【００４６】
重さ６４ｇ／平方メートルの上質紙を準備した。
【００４７】
予め公知のポリ酢酸ビニル系の感熱接着剤を上述の上質紙の片面に塗布し、乾燥した。
【００４８】
接着剤は、例えば、融点または軟化点が６０〜１５０℃程度のポリエチレン、ポリ酢酸ビニル、ポリ塩化ビニル、ポリスチエン、ポリアクリル酸エステルなどから適宜選択すればよい。
【００４９】
接着剤を塗布した上記上質紙で、縦４ｃｍ、横１５ｃｍの紙片を作製し、平圧式の型抜き装置によって図３に示すような鍵型の切り込みと、切り取りミシンを形成し第1の印刷物用基材とした。
【００５０】
更に、接着剤を塗布しない上記重さ６４ｇ／平方メートルの上質紙で、縦４ｃｍ、横１５ｃｍの紙片を作製し、平圧式の型抜き装置によって図３に示すような切り取りミシンを形成し第２の印刷物用基材とした。
【００５１】
コピー機を使用して、前記第1の印刷物用基材と、前記第２の印刷物用基材に所定の情報をコピーし、それぞれの印字面にトナーを形成した。前記第1の印刷物用基材の接着剤塗布面にはコピー機内で接着剤が軟化し接着しないように耐熱性の剥離紙を添えてコピーした。
【００５２】
前記第1の印刷物用基材の接着剤面と、前記第２の印刷物用基材の印字面を合わせ、摂氏１００度で加圧・加熱して接着し積層印刷物を作製した。
【００５３】
積層印刷物の印字情報の改竄を試みるために、上述で得られた積層印刷物を摂氏１００度で加熱し、図５に示すように積層印刷物の右下部分（１６）から第1の印刷物用基材１を斜め左方向（１５）に剥離を試みた。
【００５４】
その結果、第1の印刷物用基材１は、切り込み１２の部分で第２の印刷物用基材に接着した部分と剥離した部分に分離した。
【実施例２】
【００５５】
図４、図６を参照して本発明の積層印刷物の実施例２について詳述する。
【００５６】
実施例1と同様な手順で第1の印刷物用基材と第２の印刷物用基材を作製し、コピー機を使用して、前記第1の印刷物用基材と、前記第２の印刷物用基材に所定の情報をコピーし、それぞれの印字面にトナーを形成した。
【００５７】
積層印刷物の印字情報の改竄を試みるために、上述で得られた積層印刷物を摂氏１００度で加熱し、図６に示すように積層印刷物の右下部分（１６０）から第1の印刷物用基材１０を斜め左方向（１５０）に剥離を試みた。
【００５８】
その結果、第1の印刷物用基材１０は、切り込み１２０の部分で裂け、コーナーの一部を剥離しただけで他の部分を剥離することはできなかった。
【産業上の利用可能性】
【００５９】
本発明の積層印刷物は、各種入場券、商品券等、高額なために改竄や偽造の対象となる金券類に利用できる。
【図面の簡単な説明】
【００６０】
【図１】本発明の積層印刷物の一実施形態について説明するための模式図である。
【図２】図１のＡ−Ａ線断面図である。
【図３】本発明の積層印刷物に形成する切り込みの一実施形態について説明するための模式図である。
【図４】本発明の積層印刷物に形成する切り込みの他の実施形態について説明するための模式図である。
【図５】図３に示す切り込みの効果について説明するための模式図である。
【図６】図４に示す切り込みの効果について説明するための模式図である。
【符号の説明】
【００６１】
１，１０  第１の印刷物
２      第２の印刷物
３      積層印刷物
１１    第１の印刷物にプリントされた印字情報
１２，１２０  切り込み
１３，２３  切り取りミシン
１４    接着剤（接着剤層）
１５，１５０  剥しの先端
１６，１６０  剥しのスタート位置
２１    第２の印刷物にプリントされた印字情報
【図１】
2005088475.tif 000003
【図２】
2005088475.tif 000004
【図３】
2005088475.tif 000005
【図４】
2005088475.tif 000006
【図５】
2005088475.tif 000007
【図６】
2005088475.tif 000008